(57)【特許請求の範囲】
【請求項１】
液体を貯留する霧化タンク部と、
前記霧化タンク部の内部に設けられ、液体を霧化する霧化部と、
一端部および他端部を有し、該他端部側が前記霧化タンク部と連通されるパイプ部と、
前記一端部に設けられる吸出ファン部と、
前記霧化タンク部の内部と外部とを連通する第１吸気口を有する第１吸気部と、
前記パイプ部の内部と外部とを連通する複数の第２吸気口を有する第２吸気部と、
前記霧化タンク部の内部と前記パイプ部の内部とを連通する開口を有する仕切り部と、
前記霧化タンク部の内部で、前記開口を覆うように前記仕切り部から隔てて設けられるカバー部と
を備え、
前記複数の第２吸気口が、前記他端部側で前記パイプ部の軸方向の周りに設けられ、
前記開口が前記パイプの軸方向に設けられ、
前記カバー部と前記開口の周りの前記仕切り部とに隙間が形成され、該隙間が前記カバー部の周りから前記開口に向かう流体路を構成していることを特徴とする噴霧装置。
【請求項２】
請求項１記載の噴霧装置において、
前記第１吸気口に設けられ、前記第１吸気口の開閉によって吸入量を調節する吸入量調節部を更に備えることを特徴とする噴霧装置。
【請求項３】
液体を貯留する霧化タンク部と、
前記霧化タンク部の内部に設けられ、液体を霧化する霧化部と、
一端部および他端部を有し、該他端部側が前記霧化タンク部と連通されるパイプ部と、
前記一端部に設けられる吸出ファン部と、
前記霧化タンク部の内部と外部とを連通する第１吸気口を有する第１吸気部と、
前記パイプ部の内部と外部とを連通する複数の第２吸気口を有する第２吸気部と、
前記第１吸気口に設けられ、前記第１吸気口の開閉によって吸入量を調節する吸入量調節部と
を備え、
前記複数の第２吸気口が、前記他端部側で前記パイプ部の軸方向の周りに設けられることを特徴とする噴霧装置。
【請求項４】
請求項１〜３のいずれか一項に記載の噴霧装置において、
前記複数の第２吸気口のそれぞれに設けられる複数のフィンを更に備え、
前記複数のフィンのそれぞれが、前記パイプ部の軸方向と交差する方向と所定の角度に傾いて設けられていることを特徴とする噴霧装置。
【請求項５】
請求項１〜４のいずれか一項に記載の噴霧装置において、
前記霧化部が超音波振動子であることを特徴とする噴霧装置。
【請求項６】
請求項１〜５のいずれか一項に記載の噴霧装置と、
前記霧化タンク部へ液体を供給する供給部と
を備えることを特徴とする噴霧システム。
【発明の詳細な説明】
【技術分野】
【０００１】
本発明は、噴霧装置および噴霧システムに適用して有効な技術に関する。
【背景技術】
【０００２】
実開平６−４０７３４号公報（「特許文献１」という。）には、超音波振動子により水から大小の粒径の霧を形成し、送風ファンにより円筒部材内に送り込まれた風によって霧が螺旋状に上昇してノズルから排気される技術が記載されている（その明細書段落［００１２］参照）。
【先行技術文献】
【特許文献】
【０００３】
【特許文献１】実開平６−４０７３４号公報
【発明の概要】
【発明が解決しようとする課題】
【０００４】
特許文献１に記載の技術は、送風ファンの風を使ってノズルから霧を吹き出す構造であるため、吹き出す際の風速や風向きなどの微妙なコントロールが必要であると考えられる。特に、送風ファンの風力（出力）が大きくなると、粒径が大きい霧も小さい霧も一緒に放出されるため、場合によっては霧が広範囲に放出されずにノズルや装置周辺で水浸しとなる（飛沫する）おそれが生じる。
【０００５】
本発明の目的は、霧を広範囲に噴霧（放出、拡散）することのできる噴霧装置を提供することにある。本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。本発明の一解決手段に係る噴霧装置は、液体を貯留する霧化タンク部と、前記霧化タンク部の内部に設けられ、液体を霧化する霧化部と、一端部および他端部を有し、該他端部側が前記霧化タンク部と連通されるパイプ部と、前記一端部に設けられる吸出ファン部と、前記霧化タンク部の内部と外部とを連通する第１吸気口を有する第１吸気部と、前記パイプ部の内部と外部とを連通する複数の第２吸気口を有する第２吸気部と、前記霧化タンク部の内部と前記パイプ部の内部とを連通する開口を有する仕切り部と、前記霧化タンク部の内部で、前記開口を覆うように前記仕切り部から隔てて設けられるカバー部とを備え、前記複数の第２吸気口が、前記他端部側で前記パイプ部の軸方向の周りに設けられ、前記開口が前記パイプの軸方向に設けられ、前記カバー部と前記開口の周りの前記仕切り部とに隙間が形成され、該隙間が前記カバー部の周りから前記開口に向かう流体路を構成していることを特徴とする。
【０００７】
これによれば、パイプ部の内部において、第１吸気口から吸入される気体からの上昇気流と、複数の第２吸気口から吸入される気体からの回転気流とを発生させ、容易にパイプ部の一端部（先端部）まで霧を運ぶことができる。そして、パイプ部の一端部に設けられた吸出ファン部の風力をそのまま利用して霧を広範囲に噴霧（放出、拡散）することができる。また、粒径が大きい霧ほど吸出ファン部によって妨げられるので、装置周辺が水浸しになるのを防止することができる。カバー部によって形成された隙間（流体路）を経ることで、霧の流れを整えながらパイプ部での上昇気流の勢いを増加させることができる。
【０００８】
また、前記一解決手段に係る噴霧装置において、前記第１吸気口に設けられ、前記第１吸気口の開閉によって吸入量を調節する吸入量調節部を更に備えることがより好ましい。これによれば、霧化タンク部で形成される粒径の異なる霧（粒径が小さくて細かい霧から粒径が大きくて粗い霧を含む）において、第１吸気口を閉じていくに従い、粒径の大きな霧がパイプ部へ吸い込まれにくくなり、第１吸気口を開いていくに従い、粒径の大きな霧がパイプ部へ吸い込まれ易くなる。すなわち、霧化タンク部への気体の吸入量を変えることで、放出する霧をドライにしたり、ウエットにしたりすることができる。
【０００９】
なお、本発明の他の解決手段に係る噴霧装置は、液体を貯留する霧化タンク部と、前記霧化タンク部の内部に設けられ、液体を霧化する霧化部と、一端部および他端部を有し、該他端部側が前記霧化タンク部と連通されるパイプ部と、前記一端部に設けられる吸出ファン部と、前記霧化タンク部の内部と外部とを連通する第１吸気口を有する第１吸気部と、前記パイプ部の内部と外部とを連通する複数の第２吸気口を有する第２吸気部と、前記第１吸気口に設けられ、前記第１吸気口の開閉によって吸入量を調節する吸入量調節部とを備え、前記複数の第２吸気口が、前記他端部側で前記パイプ部の軸方向の周りに設けられることを特徴とする。これによれば、パイプ部の内部において、第１吸気口から吸入される気体からの上昇気流と、複数の第２吸気口から吸入される気体からの回転気流とを発生させ、容易にパイプ部の一端部（先端部）まで霧を運ぶことができる。そして、パイプ部の一端部に設けられた吸出ファン部の風力をそのまま利用して霧を広範囲に噴霧（放出、拡散）することができる。また、粒径が大きい霧ほど吸出ファン部によって妨げられるので、装置周辺が水浸しになるのを防止することができる。また、霧化タンク部で形成される粒径の異なる霧（粒径が小さくて細かい霧から粒径が大きくて粗い霧を含む）において、第１吸気口を閉じていくに従い、粒径の大きな霧がパイプ部へ吸い込まれにくくなり、第１吸気口を開いていくに従い、粒径の大きな霧がパイプ部へ吸い込まれ易くなる。すなわち、霧化タンク部への気体の吸入量を変えることで、放出する霧をドライにしたり、ウエットにしたりすることができる。
【００１０】
また、前記一解決手段に係る噴霧装置において、前記複数の第２吸気口のそれぞれに設けられる複数のフィンを更に備え、前記複数のフィンのそれぞれが、前記パイプ部の軸方向と交差する方向と所定の角度に傾いて設けられていることがより好ましい。これによれば、第２吸気口から吸入された気体がフィンによって形成された隙間（流体路）を経ることで、回転気流を整えながらパイプ部での回転気流の勢いを増加させることができる。
【００１１】
また、前記一解決手段に係る噴霧装置において、前記霧化部が超音波振動子であることがより好ましい。これによれば、温度上昇を抑えて液体を霧化することができる。
【００１２】
本発明の一解決手段に係る噴霧システムは、前記噴霧装置と、前記霧化タンク部へ液体を供給する供給部とを備えることを特徴とする。これによれば、比較的大きな空間内にも連続して噴霧することができる。
【発明の効果】
【００１３】
本願において開示される発明のうち、代表的なものによって得られる効果を簡単に説明すれば、次のとおりである。本発明の一解決手段に係る噴霧装置によれば、霧を広範囲に噴霧することができる。
【図面の簡単な説明】
【００１４】
【図１】本発明に係る噴霧装置を備える噴霧システムの説明図である。
【図２】本発明に係る噴霧装置の動作の説明図である。
【図３】具体的な噴霧装置の一例の斜視図である。
【図４】図３に示す噴霧装置の上面図（平面図）である。
【図５】図４に示す噴霧装置のＶ−Ｖ視における断面図である。
【図６】図４に示す噴霧装置のＶI−ＶI視における断面図である。
【図７】図３に示す噴霧装置の要部（パイプ吸気部）の説明図である。
【図８】図３に示す噴霧装置の要部（タンク吸気開閉部）の説明図である。
【発明を実施するための形態】
【００１５】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１６】
（噴霧装置および噴霧システムの概略）
本発明の実施形態に係る噴霧装置１０およびこれを備える噴霧システム１００について図１を参照して概略的に説明する。図１は、噴霧装置１０を備える噴霧システム１００の説明図である。なお、図１では、噴霧装置１０の内部に設けられる構成要素を破線で示している。
【００１７】
図１に示すように、噴霧システム１００は、噴霧口１２（放出口）を備える噴霧装置１０と、噴霧装置１０へ液体を供給する供給部２０とを備える。本実施形態では、液体として食塩水を電気分解することにより生成される次亜塩素酸ナトリウムを主成分とする弱アルカリ性水（「電解次亜水」という。）を用い、供給部２０としてその電解次亜水を生成する機能を有する生成装置を用いている。この生成装置（供給部２０）は、噴霧装置１０への供給とは別に、手洗いでの消毒やウイルス対策用などとして電解次亜水を流出することができる蛇口２２を備えている。このように、噴霧装置１０と供給部２０を組み合わせることで、空間内（室内）に噴霧口１２から噴霧して加湿、除菌（滅菌）、消臭の作用や、消毒の作用を有するシステムが構築される。また、供給部２０を備える噴霧システム１００によれば、比較的大きな空間内にも連続して噴霧することができる。
【００１８】
噴霧装置１０は、液体を貯留する霧化タンク部３０と、霧化タンク部３０の内部に設けられ、液体を霧化する霧化部３２とを備える。超音波（高周波の交流電圧）の印加によって振動する圧電セラミックス（「超音波振動子」という。）を用い、霧化タンク部３０に貯留されている液体を霧化することができる。超音波振動子を用いることで、温度上昇を抑えて液体を霧化する（霧を形成する）ことができる。供給部２０からは供給路（例えば、管）を介して霧化タンク部３０へ液体が供給され、霧化タンク部３０に所定量貯留される。噴霧装置１０からの霧化された液体の噴霧（放出）により、霧化タンク部３０では液体の貯留量が減少するが、供給部２０から自動または手動で供給することで所定量を確保することができる。
【００１９】
また、噴霧装置１０は、霧化タンク部３０と連通して接続されるパイプ部３４と、パイプ部３４に設けられ、霧を吸い出す吸出ファン３６とを備える。パイプ部３４は、一端部３４ａ（先端部）および他端部３４ｂ（末端部）を有する中空の柱状体である。パイプ部３４は、他端部３４ｂで霧化タンク部３０と連通して接続され、一端部３４ａで噴霧口１２が設けられている。このパイプ部３４の一端部３４ａの噴霧口１２には吸出ファン部３６が設けられている。
【００２０】
また、噴霧装置１０は、霧化タンク部３０の内部とパイプ部３４の内部とを連通する開口３８を有する仕切り部３９を備える。本実施形態では、霧化タンク部３０の上部を仕切り部３９としている。そして、開口３８は、パイプ部３４の軸方向Ｘにおいて噴霧口１２と対向する位置に設けられ、円形状に形成されている。
【００２１】
また、霧化装置１０は、霧化タンク部３０の内部と装置外部とを連通するタンク吸気口４０（第１吸気口）を有するタンク吸気部４１（第１吸気部）と、パイプ部３４の内部と装置外部とを連通する複数（図１では２つ）のパイプ吸気口４２（第２吸気口）を有するパイプ吸気部４３（第２吸気部）とを備える。本実施形態では、霧化タンク部３０の側部をタンク吸気部４１とし、パイプ部３４の他端部３４ｂ側の側部をパイプ吸気部４３としている。
【００２２】
そして、複数のパイプ吸気口４２が、パイプ部３４の他端部３４ｂ側でパイプ部３４の軸方向Ｘの周りに等間隔に設けられる。パイプ吸気部４３では、図１に示す四角柱状のパイプ部３４の場合、パイプ部３４の側部の周方向で等間隔となるように、対角近傍であって対向する側部のそれぞれに対をなしてパイプ吸気口４２が設けられている。なお、タンク吸気口４０やパイプ吸気口４２には、装置外部からの異物混入防止のためにフィルタ（例えば、金属製のメッシュなど）を取り付けることもできる。
【００２３】
このような噴霧装置１０によれば、パイプ部３４の内部において、タンク吸気口４０から吸入される空気などの気体からの上昇気流Ａと、複数のパイプ吸気口４２から吸入される空気などの気体からの回転気流Ｂとを発生させ、容易にパイプ部３４の一端部３４ａ（先端部）まで霧を運ぶことができる。そして、パイプ部３４の一端部３４ａに設けられた高い位置にある吸出ファン部３６の風力（装置外部側となる吹き出し側の風力が強い）をそのまま利用して霧を広範囲に噴霧（放出、拡散）することができる。
【００２４】
また、液体として電解次亜水を用いることで、タンク吸気口４０から霧化タンク部３０に吸入される空気（外気）を加湿、除菌、消臭することができ、またパイプ吸気口４２からパイプ部３４に吸入される空気（外気）を加湿、除菌、消臭することができる。さらに、電解次亜水から形成された霧を広範囲に放出（拡散）することで、装置外部の広範囲の空気も加湿、除菌、消臭することができる。すなわち、噴霧装置１０の内部および外部において空気を加湿、除菌、消臭することができる。
【００２５】
また、粒径が大きい霧ほど吸出ファン部３６によって妨げられる（邪魔される）ので、装置周辺が水浸しになるのを防止することができる。また、吸出ファン部３６の排気角度を調節して霧を噴霧することもできる。また、パイプ部３４の長さを長くした場合、噴霧口１２の位置が高くなるので、より広範囲に噴霧することができる。また、粒径が大きい霧ほど重くなるので、パイプ部３４の長さを長くすることで気流によって運ばせにくくし、パイプ部３４の内部で粒径が大きい霧を滞留させる一方、粒径の小さい霧を噴霧することができる。
【００２６】
また、上昇気流Ａと回転気流Ｂの作用により、霧を回転させて噴霧口１２までの経路を長く取れるので、霧の粒子を選別することが容易となる。また、霧を回転させて噴霧口１２までの経路を長く取って、装置外部の空気（外気）と霧化された電解次亜水とをより撹拌させることで、空気の浄化を容易に行うことができる。
【００２７】
また、噴霧装置１０によれば、霧化タンク部３０やパイプ部３４から吸出ファン部３６による霧の吸い出しを行うと、上昇気流Ａと回転気流Ｂの作用によりトルネードを発生させることもできる。特に、トルネードが発生する場合、その遠心力によって粒子の粗い霧がパイプ部３４の内壁側へ追いやられるため、粒子の細かな霧化ガス（「ドライミスト」という。）のみを選択して効率良く外部空間へ放出することもできる。ドライミストであれば、空間を漂う時間も長くなるので広範囲に放出させることが容易となる。また、トルネードによれば、回転力を維持しながら上方まで霧を持ち上げることができるので、広範囲に放出させるのに有利となる。
【００２８】
（噴霧装置の動作）
本発明の一実施形態に係る噴霧装置１０の動作手段（噴霧装置１０を用いる噴霧方法）について図２を参照して説明する。図２は、噴霧装置１０の動作の説明図であり、噴霧装置１０の断面状態（断面箇所にはハッチングが付されている。）が示されている。図２に示す噴霧装置１０は、図１に示す噴霧装置１０と基本構成はかわらないものの、別の構成要素が付加されている。また、霧化タンク部３０およびパイプ部３４は、図１では一体ものとして設けられているように示しているが、図２に示すように、それぞれ別体ものとして組み付けられて噴霧装置１０を構成してもよい。
【００２９】
まず、霧化部３２の作動によって、霧化タンク部３０に貯留された液体Ｒを霧化し、第１状態の霧Ｍ１を形成する。続いて、吸出ファン部３６の作動によって、霧化タンク部３０においてタンク吸気口４０から吸入される空気と第１状態の霧Ｍ１とを混ぜ合わせて第２状態の霧Ｍ２を形成する。そして、吸出ファン部３６の作動によって、パイプ部３４において他端部３４ｂから吸入される第２状態の霧Ｍ２と複数のパイプ吸気口４２から吸入される空気とを撹拌して第３状態の霧Ｍ３を形成し、第３状態の霧Ｍ３を吸い出す。
【００３０】
このように、噴霧装置１０では、特許文献１に記載の技術のように霧に対して風を吹き付けるのではなく、吸出ファン部３６で霧を吸い出している。これによれば、第１状態の霧Ｍ１に対して、タンク吸気口４０から吸入される空気（外気）を、他の構造物に接触する前に、霧化された電解次亜水を最短で接触させることができる。また、第２状態の霧Ｍ２と、パイプ吸気口４２から吸入した空気（外気）とをより積極的に撹拌することで霧化された電解次亜水による空気の浄化を促進することができる。そして、パイプ部３４の一端部３４ａ（先端部）に設けられた吸出ファン部３６の風力をそのまま利用して第３状態の霧Ｍ３（霧化された電解次亜水を含む）を広範囲に噴霧（放出、拡散）することができる。
【００３１】
ところで、図２に示す噴霧装置１０は、霧化タンク部３０の内部で、開口３８を覆うように仕切り部３９から隔てて設けられるカバー部４４を備える。カバー部４４は、例えば、円盤であり、仕切り部３９（霧化タンク部３０の上部）から吊り下げ支持されている。カバー部４４によって形成された仕切り部３９とカバー部４４との隙間（流体路）を経ることで、タンク吸気口４０からの空気で運ばれる霧の流れを整えながらパイプ部３４での上昇気流Ａの勢いを増加させることができる。このように、カバー部４４を用いることで、霧のトルネードを形成しやすくなる。また、霧化部３２の上方であって開口３８を覆うようにカバー部４４を設けることで、液体が霧化タンク部３０からパイプ部３４や装置外部に直接飛沫することを防止することができる。なお、カバー部４４は、円盤に限らず、霧の流れを整えることができるものであれば、例えば、四角形板などの多角形板であってもよい。
【００３２】
（噴霧装置の具体例）
具体的な構成の噴霧装置１０について図３〜図８を参照して説明する。以下では、図１および図２に示す概略的な構成の噴霧装置１０との相違の説明を明解にするため、図３〜図８に対応する噴霧装置１０を噴霧装置１０Ａと記す。図３は、具体的な構成の噴霧装置１０Ａの一例の斜視図である。図４は、図３に示す噴霧装置１０Ａの上面図（平面図）である。図５は、図４に示す噴霧装置１０ＡのＶ−Ｖ視における断面図である。図６は、図４に示す噴霧装置１０ＡのＶＩ−ＶＩ視における断面図である。図７は、噴霧装置１０Ａの要部（パイプ吸気部４３）の説明図である。図８は、噴霧装置１０Ａの要部（タンク吸気開閉部４６）の説明図である。
【００３３】
噴霧装置１０Ａは、図１に示す噴霧装置１０と同様の噴霧する構成として、筐体４８の内部（図５および図６参照）に霧化タンク部３０、霧化部３２、パイプ部３４および吸出ファン部３６などを備える。また、噴霧装置１０Ａは、搬送、設置する構成として、筐体４８の外部底面に複数のキャスター５０を備える。また、噴霧装置１０Ａは、霧化部３２や吸出ファン部３６などへ電力を供給する電源部５２を備える。電源部５２は、電源スイッチ５４と、外部電源と接続される電源コード５６と、電源回路５８と、ヒューズ６０とを備える。また、電源部５２は、タイマー機構を備えてもよく、噴霧装置１０Ａを連続運転させたり、所定時間のみ運転させたりすることもできる。なお、噴霧装置１０Ａでは、霧化部３２として霧化タンク部３０の底部で支持台６１を介して設けられる超音波振動子を用いているが、この超音波振動子は電源部５２と電気的に接続される。
【００３４】
この噴霧装置１０Ａは、図１に示す噴霧システム１００として備える供給部２０の代わりに、筐体４８の内部にリザーブタンク６２（供給部）を備える。このリザーブタンク６２は、霧化タンク部３０（仕切り部３９）の上部に設けられ、霧化タンク部３０へ液体（例えば、電解次亜水）を供給する。図５および図６では、リザーブタンク６２内に貯留される液体の状態を明確にするために、液位を破線で示している。このリザーブダンク６２は、中央部を貫通する例えば円筒形状の貫通部６４を有し、霧化タンク部３０（仕切り部３９の開口３８）とパイプ部３４とが連通するように設けられている。このため、貫通部６４では、霧化タンク部３０で発生した霧が通過する。
【００３５】
図５および図６に示すように、霧化タンク部３０内では、破線で示す所望の液位まで液体が貯留される。この液位をセンシングするために、噴霧装置１０Ａは、液位計７０（例えば、ボールタップ）を備える。液位計７０によって霧化タンク部３０内に液体が所定量に達していないと判別された場合、リザーブタンク６２から霧化タンク部３０へ液体が供給される。なお、霧化タンク部３０の底部には、霧化タンク部３０の内部で貯留された液体を排出するドレン７２が設けられている。
【００３６】
また、噴霧装置１０Ａでは、貫通部６４の上部にパイプ吸気部４３が設けられ、パイプ吸気部４３の上部にパイプ部３４が設けられる。そして、噴霧装置１０Ａでは、パイプ部３４の一端部３４ａの上部に吸出ファン部３６が設けられる。図１に示す噴霧装置１０では、パイプ吸気部４３として、パイプ部３４の他端部３４ｂ側をパイプ吸気部４３とし、パイプ部３４にパイプ吸気口４０を形成した場合について説明したが、噴霧装置１０Ａでは、パイプ部３４とパイプ吸気部４３とが別体となっている。パイプ吸気部４３は、筐体４８の四角錐台箇所（図３参照）の内部であって、筐体吸気口部６６の近傍に設けられている。このため、装置外部からパイプ部３４の内部に吸入される空気は、筐体吸気部６６およびパイプ吸気部４３を通過することとなる。
【００３７】
パイプ部３４とパイプ吸気部４３とは、互いに連通するように、例えば内径を同じにした円筒形状に構成されている。パイプ部３４は、リザーブタンク６２の貫通部６４およびパイプ吸気部４３を介して、他端部３４ｂ側が霧化タンク部３０と連通（接続）される。このため、噴霧装置１０Ａでは、前述のリザーブタンク６２の内径（貫通部６４の径）もパイプ部３４およびパイプ吸気部４３の内径と同じとなるように構成されている。
【００３８】
そして、パイプ部３４の内部と装置外部とを連通するパイプ吸気部４３は、図７に示すように、複数のパイプ吸気口４２がパイプ部３４の軸方向Ｘの周りに等間隔に設けられる。円筒形状のパイプ吸気部４３では、その円周を三等分する位置（平面視円の中心角を１２０°とする位置）のそれぞれにパイプ吸気口４２が設けられている。
【００３９】
また、噴霧装置１０Ａのパイプ吸気部４３（フィン部）は、複数のパイプ吸気口４２のそれぞれに設けられる複数のフィン６８を備え、複数のフィン６８のそれぞれが、パイプ部３４の軸方向Ｘと交差する方向（径方向）に対して内側に向かって所定の角度θに傾いて設けられている。これにより、パイプ吸気口４２から吸入された空気がフィン６８によって形成された隙間（流体路）を通過することで、回転気流を整えながらパイプ部３４での回転気流の勢いを増加させることができる。また、霧化タンク部３０側から送られてくる霧と、パイプ吸気口４２から吸入された空気とがより撹拌されることとなる。
【００４０】
また、噴霧装置１０Ａのタンク吸気部４１は、霧化タンク部３０への吸入量を確保するため、すなわち、開口面積を確保するため、複数のタンク吸気口４０で格子戸を構成している。そして、噴霧装置１０Ａは、図８に示すように、タンク吸気部４１において複数のタンク吸気口４０を開閉可能とするタンク吸気開閉部４６を備えてもよい。タンク吸気開閉部４６としては、例えば、複数のタンク吸気口４０と同様の複数の開口７４と、それらを挟む位置に設けられた長穴７６とを有するスライド板７８を用いることができる。このスライド板７８は、長穴７６の開口範囲においてボルト８０を筐体４８のボルト穴８２でネジ止めされることで、タンク吸気口４０に対してスライド可能（移動可能）に設けられている。
【００４１】
タンク吸気開閉部４６によれば、霧化タンク部３０で形成される粒径の異なる霧（粒径が小さくて細かい霧から粒径が大きくて粗い霧を含む）において、タンク吸気口４０を閉じていくに従い、粒径の大きな霧がパイプ部３４へ吸い込まれにくくなり、タンク吸気口４０を開いていくに従い、粒径の大きな霧がパイプ部３４へ吸い込まれ易くなる。すなわち、霧化タンク部３０への空気の吸入量を変えることで、パイプ部３４の一端部３４ａから噴霧される霧をドライ（ドライモード）にしたり、ウエット（ウエットモード）にしたりモードを選択することができる。したがって、噴霧量を調節するにあたり、風力を変更できる吸出ファン部３６を用いなくとも、タンク吸気開閉部４６（スライド板７８）によるタンク吸気口４０からの吸入量の調節で実現することができるため、装置を安価で提供することができる。
【００４２】
また、スライド板７８のスライドは、このような手動に限らず、モータ機構を用いて自動で行う構成であってもよく、更に、湿度センサ（湿度コントローラ）を用いて湿度によってスライド量（すなわちタンク吸気口４０の開閉量）を調節する構成であってもよい。タンク吸気開閉部４６としては、タンク吸気口４０の開閉量（すなわち、空気の吸入量）を調節することができれば必ずしも格子戸（複数のタンク吸気口４０）に対してスライド板７８を取り付ける構成である必要はなく、バルブやレジスターなどを用いてタンク吸気口４０の開閉量を調節するものであっても構わない。
【００４３】
また、噴霧装置１０Ａでは、霧化タンク部３０において開口３８を覆うようにカバー部４４が設けられているが、開口３８を開閉可能とする構成とし、タンク吸気開閉部４６と連動させてもよい。これにより、例えば最大加湿を行う際には、霧化タンク部３０へ空気を吸入させる格子戸（複数のタンク吸気口４０）を全開にするのに連動してカバー部４４が移動して開口３８に対してずれることで、流体路を拡げる（開ける）こともできる。
【００４４】
また、噴霧装置１０Ａでは、リザーブタンク６２（貫通部６４）を介してパイプ部３４が霧化タンク部３０の上部に設けられている。すなわち、霧化タンク部３０からパイプ部３４までの距離が長いため、開口３８をカバー部４４で覆わなくても、液体が霧化タンク部３０からパイプ部３４や装置外部に直接飛沫することを防止することができる。
【００４５】
また、パイプ部３４として透明のアクリル材などの樹脂材から構成される円筒体を用い、筐体４８にパイプ部３４の一部を露出する筐体開口部８４を設けることで、パイプ部３４の内部の霧の状態（例えば、トルネード）を確認することができる。霧の状態（例えば、トルネード）が見えることで見た目の面白さや効果の視認性を高めることができる。そして、噴霧装置１０Ａは、例えば、仕切り部３９に設けられ、パイプ部３４の内部にある霧を照射する光源８６（例えば、ＬＥＤ）を備えることで、霧に対する視認性をより高めることができる。
【００４６】
以上、本発明を実施形態に基づき具体的に説明したが、本発明は前記実施形態に限定されるものではなく、次のとおり、その要旨を逸脱しない範囲で種々変更可能であることはいうまでもない。
【００４７】
例えば、前記実施形態では、霧化タンク部で液体を霧化するにあたり、霧化部として超音波振動子を用いた超音波式について説明した。これに限らず、霧化タンク部で液体を霧化する方式としては加熱式を用いることができる。
【００４８】
また、前記実施形態では、液体として電解次亜水を用いた場合について説明した。これに限らず、噴霧できるものであれば、例えば、単なる水や、除菌、消臭の効果のある溶液（薬液）、あるいは芳香剤を含む液体などを用いることができる。
【００４９】
また、前記実施形態では、噴霧装置単体の場合について説明した。これに限らず、例えば、複数の噴霧装置を備える噴霧システムを構成することもできる。また、例えば、湿度センサおよび無線機能を搭載した複数の噴霧装置を比較的大きな空間内に配置し、その空間全体が所定の湿度となるように、各噴霧装置の噴霧状態をコントロールすることもできる。
【符号の説明】
【００５０】
１０、１０Ａ  噴霧装置；  １２  噴霧口；            ２０  供給部；
２２  蛇口；              ３０  霧化タンク部；      ３２  霧化部；
３４  パイプ部；          ３４ａ  一端部；          ３４ｂ  他端部；
３６  吸出ファン部；      ３８  開口；              ３９  仕切り部；
４０  タンク吸気口（第１吸気口）；
４１  タンク吸気部（第１吸気部）；
４２  パイプ吸気口（第２吸気口）；
４３  パイプ吸気部（第２吸気部）；
４４  カバー部；          ４６  タンク吸気開閉部；  ４８  筐体；
５０  キャスター；        ５２  電源部；            ５４  電源スイッチ；
５６  電源コード；        ５８  電源回路；          ６０  ヒューズ；
６１  支持台；            ６２  リザーブタンク；    ６４  貫通部；
６６  筐体吸気口部；      ６８  フィン；            ７０  液位計；
７２  ドレン；            ７４  開口；              ７６  長穴；
７８  スライド板；        ８０  ボルト；            ８２  ボルト穴；
８４  筐体開口部；        ８６  光源；              １００  噴霧システム。
【要約】
【課題】霧を広範囲に噴霧することのできる噴霧装置を提供する。
【解決手段】噴霧装置（１０）は、液体を貯留する霧化タンク部（３０）と、この内部に設けられ、液体を霧化する霧化部（３２）と、一端部（３４ａ）および他端部（３４ｂ）を有し、他端部（３４ｂ）側が霧化タンク部（３０）と連通されるパイプ部（３４）と、一端部（３４ａ）に設けられる吸出ファン部（３６）と、霧化タンク部（３０）の内部と外部とを連通するタンク吸気口（４０）を有するタンク吸気部（４１）と、パイプ部（３４）の内部と外部とを連通する複数のパイプ吸気口（４２）を有するパイプ吸気部（４３）とを備え、複数のパイプ吸気口（４２）が、他端部（３４ｂ）側でパイプ部（３４）の軸方向（Ｘ）の周りに等間隔に設けられる。
【選択図】図１【図１】
0005868474.tif 000002
【図２】
0005868474.tif 000003
【図３】
0005868474.tif 000004
【図４】
0005868474.tif 000005
【図５】
0005868474.tif 000006
【図６】
0005868474.tif 000007
【図７】
0005868474.tif 000008
【図８】
0005868474.tif 000009